Podtech/llm-jp-corpus-v4-ja_patent huggingface dataset:
(57)【要約】【課題】薄いポリ袋などの密着した開口を開くため、汚れや雑菌が付着しやすい不衛生な湿った布や、すぐに埃や汚れが付いて効果がなくなる粘着シート、さらに取り扱いが面倒な開口を挟む器具などを使用しない袋開口補助具を提供する。【解決手段】平板に孔を開け裏面を取付部材に固定し、表面にポリ袋の密着した開口を重ね合わせその上から指先で押さえて擦ることで、開口を孔端の段差により直線から曲線に変化させ密着した開口をずらすもので、さらに開口を平板の孔を通し裏面に貼った高摩擦シートや平板表面の孔周端のバリに接触させ摩擦抵抗により効果を高める。【選択図】図１
0003176255.tif 000002
【実用新案登録請求の範囲】
【請求項１】
薄いポリ袋などの密着した開口を開くための袋開口補助具であって、平板に孔を開けた形状から成り、前記平板の裏面を取付部材に固定しうるように形成し、前記平板の表面にポリ袋などの密着した開口の一方側を重ね合わせ他方側を指先で押さえることにより、前記ポリ袋の開口を孔端の段差により直線から曲線に変化させ、さらに指先で押さえながら擦る動作により、曲線を変動させることで密着した開口がずれることを特徴とする袋開口補助具。
【請求項２】
前記平板において、裏面に軟質のＰＶＣやゴムなどの高摩擦シートを貼ることにより、押さえた指先のポリ袋が孔を通して高摩擦シートに接触することを特徴とする請求項１に記載の袋開口補助具。
【請求項３】
前記平板において、金属平板における孔開け加工や樹脂平板における孔成形加工などによりできる、孔周端のバリ面を表面とすることを特徴とする請求項１および請求項２に記載の袋開口補助具。
【考案の詳細な説明】
【技術分野】
【０００１】  本考案は、薄いポリ袋などの密着した開口をずらして開ける袋開口補助具に関する。
【背景技術】
【０００２】  スーパーマーケットの食品売場などでは、買い物客が購入した商品を袋詰め用の台の上でロール式や手提式のポリ袋に入れているが、これらの薄いポリ袋の密着した開口は開け難く、一般には台の上に置かれた湿った布で指先を湿らせ開口をずらして開けているが、不特定多数の客が指先を付けるため、汚れや雑菌が付着しやすく不衛生なため使用しない客も多く、店舗側も定時に消毒して交換しなくてはならず面倒な作業となっている。【０００３】  ポリ袋などの袋開口補助具としては、すぐに埃や汚れが付いて効果がなくなり定期的な交換が必要で不衛生な粘着シートを使用したもの（例えば、特許文献１、特許文献２）や両手を使い器具で開口を挟む取り扱いの面倒なもの（例えば、特許文献３、特許文献４）などが多数考案されているが、いずれも実用性に欠けるため一般には使用されていない。
【先行技術文献】
【特許文献】
【０００４】
【特許文献１】特許公開２００５−５９９５２号公報
【特許文献２】実用新案登録第３１２６８８１号公報
【特許文献３】特許公開２０００−１９０９２７号公報
【特許文献４】特許登録第４１６３１６５号公報
【考案の概要】
【考案が解決しようとする課題】
【０００５】  本考案は、前記背景技術における問題点を解決するため、汚れや埃が付着しやすい湿った布や粘着シート、開口を挟む面倒な器具などを使用しない袋開口補助具を提供する。
【課題を解決するための手段】
【０００６】  前記課題を解決するため、平板に孔を開け裏面を台などの取付部材に固定し、表面にポリ袋の密着した開口を重ね合わせその上から指先で押さえて擦ることで、開口を孔端の段差により直線から曲線に変化させ、密着した開口をずらして開くことを特徴とする。【０００７】  また、前記平板の裏面に軟質のＰＶＣやゴムなどの高摩擦シートを貼ることにより、押さえた指先のポリ袋が孔を通して高摩擦シートに接触し効果を高めることができる。【０００８】  また、金属平板の孔開け加工や樹脂平板の孔成形加工による孔周端のバリ面を表面とすることで、密着した開口に微細なバリによる摩擦抵抗が生じ効果を高めることができる。
【考案の効果】
【０００９】  本考案は、不特定多数の客が直接指先を付けるため汚れや雑菌が付着しやすく消毒の必要な湿った布や、すぐに埃や汚れが付着して効果がなくなり交換が必要な粘着シート、さらに両手を使う取り扱いの面倒な挟む器具などを使用しない袋開口補助具を実現する。
【図面の簡単な説明】
【００１０】
【図１】本考案の平板１の平面図で、一例として格子状に配列した角形の孔２を示す。
【図２】図１のＡ−Ａ部の断面図で、裏面に両面テープ３が貼られていることを示す。
【図３】図１のＢ−Ｂ部の断面拡大図で、高摩擦シート４が貼られていることを示す。
【図４】図１のＢ−Ｂ部の断面拡大図で、微細な孔周端のバリ５位置を強調して示す。
【考案を実施するための形態】
【００１１】  以下、図面を用いて本考案の実施形態の一例について説明する。
本考案の実施に係る袋開口補助具は、図１に示すような多数の孔２を開けた一枚の平板１を台の上に固定し、平板１の表面にポリ袋の密着した開口を重ね、上から指先で押さえることでポリ袋の開口が孔２端部の段差により直線から垂直方向の曲線となり、押さえながら擦る動作により曲線が変動し、密着した袋の開口がずれて簡単に開くことができる。
【００１２】  図１に示す角形の孔２の他に、孔２の形状は丸形孔や星形孔、菱形孔、六角形孔、エキスパンドメッシュなど、いろいろな形状やデザインが可能である。
【００１３】  図２は、図１のＡ−Ａ部断面図で、固定方法の例として裏面の端に両面テープ３を貼って袋詰め用の台などの取付部材に固定する方法を示したものである。
【００１４】  図３および図４は図１のＢ−Ｂ部断面拡大図で、図３は裏面に高摩擦シート４を貼った状態を示し、図４は孔周端のバリ５を表面にした状態を示したものである。
【符号の説明】
【００１５】  １  平板
２  孔
３  両面テープ
４  高摩擦シート
５  バリ
【図１】
0003176255.tif 000003
【図２】
0003176255.tif 000004
【図３】
0003176255.tif 000005
【図４】
0003176255.tif 000006
(57)【要約】      （修正有）【課題】誤って本を閉じてしまった場合にも容易に読んでいた箇所を開け、かつ頁めくりの際に不快な音や、本を毀損することのない書籍用自動しおりを提供する。【解決手段】１片よりなり、上から３分の１位のところより折り曲がり表部分の左側上部より丸みを伴ったカーブ状の帯状突出片を有する。【選択図】図４
0003176258.tif 000002
【実用新案登録請求の範囲】
【請求項１】
１片からなり、１片はほぼ方形で上部より３分の１位のところ折り曲げてある。折り曲げてあるところのすぐ下より折曲げた方向に対して直交した方向に突出する狭幅の帯状を有することを特徴とする書籍用自動しおり。
【考案の詳細な説明】
【考案の詳細な説明】
【産業上の利用分野】
【０００１】この考案は、書籍用自動しおりに関するものであり、最近の電子書籍の発展にたいして従来からの紙書籍の維持、発展貢献に関するものである。
【背景技術】
【０００２】以下詳細に記載されるように、この自動しおりは１片より構成されるものであるが、この明細書ではこの折り曲げた部分を「幅方向」７といい、これに直交する方向を「縦方向」６という。折り曲げた突出部分を有する部分を「表部分」３、有しない部分を「裏部分」４という。
【考案が解決しようとする課題】
【０００３】本を読んでいる時に誤って本閉じてしまったりした場合、どの辺を読んでいたか探すのに苦労していた。その点通常の使用に際しても、自動的にしおりが残るので便利といえる。
【０００４】既に考案されているものは、初めから素材を１種類に限定していることが前提になっていて、本に装着するために、しおり部分の弾力性を必要としていた。その為頁めくりの際、不快な音がしたり、破損の危険性が存在した。その点この考案においては、素材はコートフイルム仕上げの和紙を使用していて、装着させるのに「本体部分」１のみ活用している。
突出部分「しおり部分」２は、丸みを帯びたカーブで本のしたから包むようにして頁の上の余白部分にソフトに置かれているだけである。
【０００５】かかる現状に鑑みてこの考案の目的は、自動しおりの汎用性を向上させることにある。
【課題を解決すための手段】
【０００６】この為この考案においては、ほぼ方形の１片の１片よりなり上部より３分の１のところで折り曲げてあり、「表部分」３の折り曲げたところのすぐ下に、「縦方向」６に直交に突出した丸みを伴った帯状の部分を有するもの。
従来の自動しおりの考案発想のシステムは、本に装着するのに全てプラスチックの素材の弾力性を利用したものであった。本体としおりの「ひねり」によって生じる弾力性により本を挟みこんで装着固定するシステムであった。「しおり本体」と「しおり部分」が独立ていないために、「しおり部分」に圧力がかかるため頁めくりに負担がかかり、すれる不快な音を生じたり、本を毀損する危険性もあった。
この考案発想のシステムにおいては、「しおり本体」と「しおり部分」が機能的に分離しているので「しおり部分」に必要以上の圧力も負担もないので、従来の弊害は解消される。
そのため「しおり部分」を快適にソフトに作動することが可能になった。
【考案を実施するための形態】
【０００７】この１片より突出している丸みを伴った帯状の部分「しおり部分」２が本の左側面上部の下から本の頁の上部の余白部分に、まわりこんで乗る。
この考案の素材は、和紙にコートフイルム仕上げを施したものを使用している。
予め和紙に角度や丸みをつけてコートフイルムを貼り付けると、その状態に復元しようとする力が働らく。「しおり部分」にそれを利用している。
【実施例】
【０００８】この考案の自動しおりの１例を図１（ａ），（ｂ）に示す。
表部分３の左側より突出する丸まってカーブした帯状片を有する。
頁をめくる時に、頁の左上部余白部分にソフトに乗っているだけなので、すれる不快な音もせずめくれるし本を破く心配もない。
本を閉じるときはそのまま頁と頁の間に残って「しおり」としての機能を充分に果たします。【０００９】図２に示すように、使用に際しては書籍の最後の２頁か３頁分位に装着すればよい。この考案では基本的に文庫本、新書本に共通に使用可能な（自動しおり）について説明をしているが、書籍のサイズに関係なく、例えば単行本の時はその幅に（しおり）の幅を合わせて、（しおり）を作成すればよい。【００１０】図３に示すのが使用状態の（自動しおり）である。【００１１】書籍の幅が同じの文庫本、新書本に使用可能な（自動しおり）について説明しているが、書籍の幅に合わせて（自動しおり）を作成することで全ての書籍に汎用できる。
【図面の簡単な説明】
【００１２】
【図１】ａ−前面  ｂ−後面
【図２】この考案の斜視図である。ａー前面  ｂ−後面
【図３】自動しおりの装着のしかた。
【図４】実際の使用状態である。
【符号の説明】１−本体部分
２−しおり部分
３−表部分
４−裏部分
５−折り曲げ部分
６−縦方向
７−幅方向
【図１】
0003176258.tif 000003
【図２】
0003176258.tif 000004
【図３】
0003176258.tif 000005
【図４】
0003176258.tif 000006
(57)【要約】      （修正有）【課題】魔除けのために睨みをきかせた一対の獅子と、福を招くために微笑んだ獅子の、二種類の獅子を共有出来る様にした両顔獅子の置物を提供する。【解決手段】獅子の顔の後部にも顔があり正面の顔は睨みをきかせた魔除け獅子の顔１を持ち、後ろの顔は微笑んだ福招き獅子の顔２を持たせることで一つの獅子で魔除け獅子と福招き獅子を兼ね備えることができる。さらに各々の顔付きを変えることでバリエーションを持たせることができ、両顔獅子が二つあれば一対の獅子の置物ができることになる。【選択図】図３
0003176252.tif 000002
【実用新案登録請求の範囲】
【請求項１】
横向き獅子の顔の後部にも顔があることを特徴とする両顔獅子の置物。
【考案の詳細な説明】
【技術分野】
【０００１】  本考案は、一つの獅子で魔除けと福招きを兼ね備えることのできる両顔獅子に関するものである。
【背景技術】
【０００２】  従来、沖縄地方では一対の獅子を門柱や庇あるいは家内等に魔除け獅子あるいは福招き獅子をそれぞれ置く風習がある。それは邪鬼や天災から家を守り、福の神を招き縁起を願う置物として昔から言い伝えられてきているためで、魔除け獅子を門柱に置き、福招き獅子は家内に置くのが一般的な習慣であるが、魔除け獅子と福招き獅子の二種類を置くことは経済的にも場所的にも問題があった。【０００３】  また、一対の獅子は左右対称に置かれるために、横向きの獅子においては顔の向きに対して胴体が左側と右側にある形の異なる獅子を製作しなければならならなかった。
【考案の概要】
【考案が解決しようとする課題】
【０００４】  従来魔除けのために睨みをきかせた一対の獅子を門柱や庇あるいは家内に置く習慣がある。また、福を招くために微笑んだ獅子を置くこともあるが、二種類の獅子を置くことは経済的にも場所的にも問題があった。【０００５】  また、一対の獅子は左右対称に置かれるために、横向きの獅子においては顔の向きに対して胴体が左側と右側にある形の異なる二種類の獅子を製作するために、多大な時間と労力を要していた。【０００６】  本考案は、このような従来の問題を解決しようとするもので、両顔獅子を一種類製作することで門柱の左右に一対としておくことができる。さらに一つの獅子で魔除けと福招きを兼ね備えることのできる両顔獅子を提供することを目的とする。
【課題を解決するための手段】
【０００７】  本考案は、前記課題を解決するために請求項１によれば、横向き獅子の顔の後部にも顔がある二つの顔を持つ両顔獅子である。そして各々の顔付きを変えることでバリエーションを持たせることができる。【０００８】  たとえば、正面の顔は睨みをきかせた魔除け獅子の顔を持ち、後ろの顔は微笑んだ福招き獅子の顔を持たせることで一つの獅子で魔除け獅子と福招き獅子を兼ね備えることができる。【０００９】  そして、門柱等に置くことができ一方の門柱には魔除け獅子として置き、他方の門柱には福招き獅子として置くことが可能になる。【００１０】  従って、両顔獅子が二つあれば一対の獅子の置物ができることになる。【００１１】  本考案において「獅子」とは想像上の動物や神獣であり、獅子やあるいは沖縄地方ではシーサーと呼ばれている陶製・樹脂製・石製・木製・金属製等の置物である。
【考案の効果】
【００１２】  本考案は、魔除けと福招きを兼ね備えた両顔獅子である。従って、一つの獅子で二種類の獅子の役割を果たすことができるために製作費や置き場所を大幅に削減することができる。【００１３】  また、両顔獅子を門柱に対で置くことで、魔除けと福招きが一度に叶えられることになる。【００１４】  しかも、家人や訪問者は門を通る度に外側と内側を向いた魔除け獅子と福招き獅子を各々二度楽しむことができる。
【図面の簡単な説明】
【００１５】
【図１】本考案の睨みをきかした魔除け獅子の正面側斜視図である。
【図２】同実施例の微笑んだ福招き獅子の正面側斜視図である。
【図３】同実施例の前足側からの正面図である。
【考案を実施するための形態】
【００１６】  本考案の実施形態に基づいて図面で説明する。図１は、両顔獅子の一実施形態を示す睨みをきかした魔除け獅子の正面側斜視図、図２は、図１の魔除け獅子の背面側の微笑んだ福招き獅子の正面側斜視図である。図３は、前足側からの正面図である。
【００１７】  このように、図１の実施例正面側斜視図に示されているように、睨みをきかした顔１の後部には、図２に示されている微笑んだ顔２がある。
【００１８】  従って、両顔獅子は図３に示されているように一つの胴体４に睨みをきかした顔１と微笑んだ顔２が各々反対に向いて付いている。
【００１９】  たとえば、本考案の両顔獅子が二つあれば一方の門柱には睨みをきかした顔１の獅子を魔除け獅子として置き、他方の門柱にはもう一つの魔除け獅子の向きを反対に変えて図２の微笑んだ顔２の獅子を福招き獅子として置くことで、一対の置物とすることが可能になる。
【００２０】  また、顔１および顔２については色々なバリエーションが考えられる。
【産業上の利用可能性】
【００２１】  本考案の両顔獅子は、魔除けと福招きを兼ね備えることができる両顔獅子である。従って、一つの獅子で魔除け獅子と福招き獅子の二つの役目を果たすこともできるために製作費や置き場所を大幅に削減することができる。【００２２】  また、両顔獅子を一対の置物として門柱等に置くと魔除けと福招きが一度に叶えられることになる。しかも、家人や訪問者は門を通る度に外側と内側を向いた魔除け獅子と福招き獅子を各々二度楽しむことができる。
【符号の説明】
【００２３】  １  睨みをきかした顔
２  微笑んだ顔
３  前足
４  胴体
【図１】
0003176252.tif 000003
【図２】
0003176252.tif 000004
【図３】
0003176252.tif 000005
(57)【要約】      （修正有）【課題】乳半アクリル板の表面に直接に金属を蒸着し、当該表面の部位を計画に従い蒸着の厚みを変えシームレス状に蒸着し、その表面を保護材でコーティングし、このケーシング内部に発光装置を収納する内照式疑似金属ケーシングを提供する。【解決手段】光を乱反射透過させるための乳半アクリル樹脂製の一体型本体１は、発光装置２を構成するＬＥＤ３と配線４を収納できる溝５を具備する。発光装置２は底板６に設置する。本体１と底板６を形なりに合わせて固定ネジ等で固定して、“株”という箱文字の内照式疑似金属ケーシングとする。【選択図】図１
0003176260.tif 000002
【実用新案登録請求の範囲】
【請求項１】
乳半アクリル板の表面に直接に金属を蒸着し、当該表面の部位を計画に従い蒸着の厚みを変えシームレス状に蒸着し、その表面を保護材でコーティングし、このケーシング内部に発光装置を収納せしめたことを特徴とする内照式疑似金属ケーシング。
【考案の詳細な説明】
【技術分野】
【０００１】  本考案は金属色固有の質感と重厚感に疑似してサインを形成し、且つ発光体を兼ね備えた内照式疑似金属ケーシングに関する。
【背景技術】
【０００２】  従来、疑似金属ケーシングは個別の部品である面板と側板を組み立てて構成していた（実用新案登録第３１３９４６１号）。【０００３】  薄膜金属をハーフ蒸着すると、昼間はまるで金属の様な質感を呈するが、夜間に裏側から光を照射すると、金属のような質感は失せ発光装置による発光体となる。これらの作用を活用することで、昼間は景観にマッチする金属質ケーシングでありながら、夜間には光る看板にもなっていた。
【考案の概要】
【考案が解決しようとする課題】
【０００４】  従来は疑似金属ケーシングがシームレスでなかった。又、従来は面板や側面は異種部材で構成し、それぞれ片方のみを薄膜で金属蒸着し所望の部位の光を得ていた。又、面板や側板を同種部材で構成するときは、いずれか一方を遮光するためにシールで貼るか、塗装し遮光する必要があった。又、基材の表面に薄膜金属蒸着フィルム貼ると、平面と曲面の取り合い部（突き合わせの境界部や重ね合わせの境界部の総称）において、せっかく醸し出したい質感に違和感や見苦しさが発生したり、積層部の接着の不良や不陸が発生していた。
【課題を解決するための手段】
【０００５】  そこで、本考案は乳半アクリル板の表面に直接に金属を蒸着し、当該表面の部位を計画に従い蒸着の厚みを変えシームレス状に蒸着し、その表面を保護材でコーティングし、このケーシング内部に発光装置を収納せしめることで問題点を解決している。
【考案の効果】
【０００６】  これにより、疑似金属ケーシングをまるごと均一で高品質な質感で統一できるし、外部からの熱射や輻射熱に曝されたり、内部からの伝導熱の影響を受けることに起因する接着不良の問題点を解決することができる。疑似金属ケーシングの形状は曲面体から角体、丸棒、角や丸の複合体又は流線型体等まで様々であり、これら全ての物品を均一でムラのない無垢の金属体であるかのような質感で表現できる。しかも、光が出る看板、光の出し方により浮かび上がる看板や様々な視覚効果で光る看板となる。
【図面の簡単な説明】
【０００７】
【図１】構成の実施例を示す斜視図である。
【図２】構成の実施例を示す斜視図である。
【図３】（ａ）計画蒸着率の一実施例を説明する斜視図。（ｂ）夜間の作用を示す斜視図。
【図４】（ａ）計画蒸着率の一実施例を説明する斜視図。（ｂ）夜間の作用を示す斜視図。
【図５】（ａ）計画蒸着率の一実施例を説明する斜視図。（ｂ）夜間の作用を示す斜視図。
【図６】（ａ）計画蒸着率の一実施例を説明する斜視図。（ｂ）夜間の作用を示す斜視図。
【図７】（ａ）計画蒸着率の一実施例を説明する斜視図。（ｂ）夜間の作用を示す斜視図。
【図８】（ａ）計画蒸着率の一実施例を説明する斜視図。（ｂ）夜間の作用を示す斜視図。
【図９】質感の統一を表現する斜視図。
【考案を実施するための形態】
【０００８】  疑似金属ケーシングは乳半アクリル樹脂製の一体型本体と、発光装置を配設する底板に分ける。当該一体型本体と底板は係合手段をもって合体するように構成する。前記一体型本体には醸し出したい金属製質感に合った種類の薄膜金属蒸着を施す。その際には予め計画した施工要領で行う。当該施工要領は疑似金属ケーシングの部位ごとの光透過率の計画に依存して決められる。概略、発光装置からの光が外部に漏れ出る度合いの判断基準に合わせて、金属蒸着の密度の高低を決定しそれに見合うように薄膜金属蒸着を施工する。
【実施例】
【０００９】  以下、添付図面に従って一実施例を説明する。図１において、１は光を乱反射透過させるための乳半アクリル樹脂製の一体型本体であり、発光装置２を構成するＬＥＤ３と配線４を収納できる溝５を形設する。発光装置２は底板６に設置する。本体１と底板６を形なりに合わせて固定ネジ等で固定して、“株”という箱文字の内照式疑似金属ケーシング７（図３乃至図５参照）とする。図２においては、光を乱反射透過させるため乳半アクリル樹脂製の一体型本体８をシェル形式でなした例であり、この場合は図１の実施例に示す溝５はシェル形式のために不要である。発光装置２を底板６に設置し、前述の本体８と底板６を形なりに合わせて固定ネジ等で固定して、“株”という箱文字の内照式疑似金属ケーシング１０（図６乃至図８参照）とする。
尚、本考案の要諦を解りやすく示すため図１及び図２において発光装置２を単純化の為に直線配置しか図示していないが、実際には箱文字をムラ無く光らす計画に基づき、設計上、当該文字型に則した枝分かれ配置を施すことは当然である。【００１０】  図３乃至図５において、（ａ）は薄膜金属蒸着率の異なる面を説明する斜視図であり、図１に示す内照式疑似金属ケーシング７における上面９と側面１１に薄膜金属蒸着率の異なる面を割り振った例を示す。（ｂ）は夜間の作用を示す斜視図であり、薄膜金属蒸着率の違いによって、光が透過する面とそうでない面を図示している。同様に内照式疑似金属ケーシング１０においても薄膜金属蒸着率の異なる面を割り振ることができるのでその実施例を図６乃至図８に示す。
尚、図３乃至図５の（ｂ）図に示す各々の作用は、図６乃至図８においても各同じである。【００１１】  図９は質感の統一を表現する斜視図であり、発光装置２の作用を受けない場合における本考案の内照式疑似金属ケーシングは、外部から光を受けて薄膜金属蒸着部分の反射により見た目は均一な金属質の質感を呈する。
尚、内照式疑似金属ケーシング７又は１０に施す薄膜金属蒸着部分にはその表面上に保護材コーティングを施すこととする。【００１２】  １  本体
２  発光装置
３  ＬＥＤ
４  配線
５  溝
６  底板
７  内照式疑似金属ケーシング
８  本体
９  上面
１０  内照式疑似金属ケーシング
１１  側面
【図１】
0003176260.tif 000003
【図２】
0003176260.tif 000004
【図３】
0003176260.tif 000005
【図４】
0003176260.tif 000006
【図５】
0003176260.tif 000007
【図６】
0003176260.tif 000008
【図７】
0003176260.tif 000009
【図８】
0003176260.tif 000010
【図９】
0003176260.tif 000011
(57)【要約】      （修正有）【課題】強度が高く、また、リサイクル可能な紙製ファイルを提供する。【解決手段】紙製であって、不透明であり、表紙と裏紙とが下端で折り返され、左辺が糊付けされて空間を形成するとともに、上辺と右辺とが開口し、かつ、表紙の上辺が右斜め下に切断されている。【選択図】図１
0003176274.tif 000002
【実用新案登録請求の範囲】
【請求項１】
下記ａ〜ｃの要件を具えており、表紙と裏紙とが下端で折り返され、左辺が糊付けされて空間を形成するとともに、上辺と右辺とが開口し、かつ、表紙の上辺が右斜め下に切断された紙製クリアファイル。
ａ．不透明であること
ｂ．無地の白色若しくは色付きか柄入りで印刷した文字等が見えること
ｃ．家庭用のパソコンで入力した情報を家庭用のプリンタで印刷できること
【請求項２】
表紙の上辺の右斜め下の切断個所がクリアファイルによって異なる請求項１の紙製クリアファイル。
【考案の詳細な説明】
【技術分野】
【０００１】
本考案は、紙片や冊子（以下、書類）を収容する紙製クリアファイルに関するものである。
【背景技術】
【０００２】
クリアファイルといえば、透明（したがって、薄い樹脂製）であることが条件であり、中に収容した書類が外部から見えることが特徴である。しかし、中には下記特許文献１に示されるような不透明の紙製のものもある。ところが、この先行文献の発明は不透明なのは裏側だけであり、表側は透明であって外部から見える。書類の中には他人に見られてはならないものもあり、そのような場合にはこれでは不十分である。また、薄い透明の樹脂膜では文字等の情報を書き込むことはできないし、強度的に弱いことも挙げられる。
【０００３】
また、下記特許文献２では透明な樹脂膜の中に紙製の遮断紙を入れたものが示されている。この遮断紙により、二種類の書類が挿入できるとするものであるが、表裏面ともに透明な樹脂膜である点は変わらないから、その短所は上記と同じである。
【先行技術文献】
【特許文献】
【０００４】
【特許文献１】特開２００３−０２５７７９号公報
【特許文献２】実開平０６−０１７９７２号公報
【考案の概要】
【考案が解決しようとする課題】
【０００５】
本考案は、不透明な紙によるクリアファイルであり、それに基づく短所は有するものの、これを上回る長所を有する紙製クリアファイルを提供したものである。
【課題を解決するための手段】
【０００６】
本考案は、これに対応うして、請求項１に記載した、下記ａ〜ｃの要件を具えており、表紙と裏紙とが下端で折り返され、左辺が糊付けされて空間を形成するとともに、上辺と右辺とが開口し、かつ、表紙の上辺が右斜め下に切断された紙製クリアファイル。
ａ．不透明であること
ｂ．無地の白色若しくは色付きか柄入りで印刷した文字等が見えること
ｃ．家庭用のパソコンで入力した情報を家庭用のプリンタで印刷できること
を提供するとともに、これにおいて、請求項２に記載した、表紙の上辺の右斜め下の切断個所がクリアファイルによって異なる構成を提供する。
【考案の効果】
【０００７】
請求項１に係る考案によれば、不透明で外部からは見えないものの（それが長所になるこがあるのは上記したとおり）、紙製であるから、強度的に強い。さらに、紙製であるから、リサイクルができる点もある。加えてａ〜ｃの長所を有するものになる。
【図面の簡単な説明】
【０００８】
【図１】本考案に係るクリアファイルの平面図である。
【図２】本考案に係るクリアファイルを開いた状態の斜視図である。
【図３】本考案に係るクリアファイルの他の例の平面図である。
【考案を実施するための形態】
【０００９】
以下、本考案の実施の形態を図面を参照して説明する。図１は本考案の一例を示すクリアファイルの平面図であるが、形態自体は従来のものと変わらない。すなわち、表紙１と裏紙２からなり、内部が空間３となったものである。そして、左辺４と下端５は閉じているが、上辺６と右辺７は開口しており、開き易くするために右辺５の右上端は斜め下に切断されて斜辺８を形成しているものである。
【００１０】
ただ、紙製であるから、適宜な厚みのものを採用すれば、強度的に強いし、使い終わったらリサイクルができる長所を有している。このクリアファイルの製作は表紙１と裏紙２を下端５で折り返し、左辺４の端にわずかな糊代９を確保し、ここを接着剤を塗布して接着すればよい。このような工程によれば折り機で自動的にできる。
【００１１】
加えて、以下のａ〜ｃの構成を有している。
ａ．不透明であること。
不透明であれば、外部から見えないが、機密を有する書類であれば、見えないことが却って長所になる。
【００１２】
ｂ．無地の白色若しくは色付きか柄入りで印刷した文字等が見えること
クリアファイルはそのままでもよいが、多くのは場合は所持者名、惹句、ＣＭ、類名等（以下、情報）が印刷されている。したがって、この印刷が読める程度であれば、白色、色付き、柄入りを問わない。
【００１３】
ｃ．家庭用のパソコンで入力した情報を家庭用のプリンタで印刷できること
この情報の印刷は専門の印刷業者に依頼してもよいが、コストがかかるし、かなりのロットを要求される。そこで、家庭用（簡易型という意味）のパソコンで入力し、家庭用のプリンタで印刷できるのに越したことはない。情報のデザインを思いのままに作成でき、手軽に印刷できる長所がある。これによると、一つ一つのクリアファイルで異なるデザインのものにできるといった長所がある。つまり、使用する人が使用の直前に好みのデザインを印刷するといったこともできる。
【００１４】
このクリアファイルのサイズは任意であるが、多くはＡ４、Ｂ５のサイズの書類が入るものが多い。ただ、本考案のものでは糊代９が必要になるから、その分だけは大きなサイズのものになる。また、上辺６は書類が僅かに覗く程度に短くすることも多い。さらに、斜辺８のサイズも任意であり、単に開き（捲り）易くするためにわずかな斜長のものもあれば、中の書類の上部が覗く程度の大きな斜長のものもある。
【符号の説明】
【００１５】
１    表紙
２    裏紙
３    空間
４    左辺
５    下端
６    上辺
７    右辺
８    斜辺
９    糊代
【図１】
0003176274.tif 000003
【図２】
0003176274.tif 000004
【図３】
0003176274.tif 000005
(57)【要約】      （修正有）【課題】竿掛けが１つしかない場合に、１本の物干し竿にフックを掛け、このフックを活用して他の２本の物干し竿を追加できる形状にした物干し用フックを提供する。【解決手段】１本の物干し竿に掛けるフック部Ａ２の両側に、他の２本の物干し竿を追加することができるフック部Ｂ３とフック部Ｃ４を、１本の線材に曲げ加工して構成したことを特徴として物干し竿用フックを形成する。【選択図】図３
0003176223.tif 000002
【実用新案登録請求の範囲】
【請求項１】
１本の物干し竿に掛ける凸状の円弧状のフック部Ａ（２）の両側に、他の２本の物干し竿を掛けて追加することができる凹状の円弧状のフック部Ｂ（３）とフック部Ｃ（４）を、１本の線材に曲げ加工して構成したことを特徴とする物干し竿用フック。
【請求項２】
前記フック部Ｂ（３）とフック部Ｃ（４）の凹状の円弧状フックの上部をせばめて、１本の線材に曲げ加工して丸型の形状として、掛けた竿が外れて落ちないようにしたことを特徴とする請求項１記載の物干し竿用フック。
【請求項３】
前記フック部Ｂ（３）とフック部Ｂ（４）の高さを同じにしたことを特徴とする請求項１又は請求項２に記載の物干し竿用フック。
【請求項４】
前記フック部Ｂ（３）とフック部Ｂ（４）の高さを異なるようにしたことを特徴とする請求項１又は請求項２に記載の物干し竿用フック。
【考案の詳細な説明】
【技術分野】
【０００１】１本の物干し竿に掛けることで他の２本の物干し竿を追加することができる物干し竿用フックに関する。
【背景技術】
【０００２】従来は複数の物干し竿を簡単に追加できる物干し竿用の器具が無かった。
【先行技術文献】
【特許文献】
【０００３】
【特許文献１】特開平９−１９２３９２公報
【考案の概要】
【考案が解決しようとする課題】
【０００４】１）複数の物干し竿を簡単に追加設置できない。
２）二本の物干し竿を同時に追加できない。
【課題を解決するための手段】
【０００５】１本の物干し竿に掛ける凸状の円弧状のフック部Ａ（２）の両側に、他の２本の物干し竿を掛けて追加することができる凹状の円弧状のフック部Ｂ（３）とフック部Ｃ（４）を、１本の線材に曲げ加工して構成したことを特徴とする物干し竿用フック。【０００６】フック部Ｂ（３）とフック部Ｃ（４）の凹状の円弧状フックの上部をせばめて、１本の線材に曲げ加工して丸型の形状として、掛けた竿が外れて落ちないようにしたことを特徴とする物干し竿用フック。【０００７】前記フック部Ｂ（３）とフック部Ｂ（４）の高さを同じにしたことを特徴とする物干し竿用フック。【０００８】前記フック部Ｂ（３）とフック部Ｂ（４）の高さを異なるようにしたことを特徴とする物干し竿用フック。
【考案の効果】
【０００９】１）竿掛けが１つしか無い場合も、１本の物干し竿にフック部Ａ（２）を掛けてその前後    フック部Ｂ（３）、フック部Ｃ（４）に他の２本の物干し竿を掛けて追加できる。
２）図１の（ａ）、図２（ａ）のフック部Ｂ（３）、フック部Ｃ（４）ようにフック部Ｂ    （３）をフック部Ｃ（４）より高く、段違いにすることによってフック部Ａ（２）、    フック部Ｂ（３）の２本の物干し竿は日が当たるように、最後列のフック部Ｃ（４）    に掛けた物干し竿は陰干ししたい物や女性の衣服のように表から見られたくない物を    干す事ができる。
３）図１の（ｂ）、図２の（ｂ）のようにフック部Ｂ（３）とフック部Ｃ（４）の高さを    同じにして掛ける物干し竿の高さをそろえる事もできる。
【図面の簡単な説明】
【００１０】
【図１】本考案の物干し竿用フックの構成図  （ａ）フック部Ｂとフック部Ｃの高さが異なる場合、（ｂ）フック部Ｂとフック部Ｃの高さ同じ場合、
【図２】本考案の物干し竿用フックの別構成図  （ａ）フック部Ｂとフック部Ｃの高さが異なる場合、（ｂ）フック部Ｂとフック部Ｃの高さが同じ場合、
【図３】本考案の物干し竿用フックの使用例
【考案を実施するための形態】
【００１１】  本考案の実施例を図１〜図３で説明する。
本考案の物干し竿用フックは、１本の線材に曲げ加工を施した図１と図２のような形状で、物干し竿を凸状の円弧状のフック部Ａ（２）に架け、その両側に凹状の円弧状のフック部Ｂ（３）と凹状の円弧状のフック部Ｃ（４）を備え、フック部Ｂ（３）とフック部Ｃ（４）に物干し竿を追加して設置できる。
【００１２】図１では、フック部Ｂ（３）とフック部Ｃ（４）は、物干し竿を置きやすいように、凹状の円弧状で上部が開いたフック形状をしている。
図１の（ａ）は、フック部Ｂ（３）をフック部Ｃ（４）より高くして、フック部Ｂ（３）とフック部Ｃ（４）の高さが異なる場合を示す、図１の（ｂ）は、フック部Ｂ（３）とフック部Ｃ（４）の高さが同じ場合を示す。
【００１３】図２では、フック部Ｂ（３）とフック部Ｃ（４）は、図１の凹状の円弧状フックの上部をせばめて丸型の形状にして、追加する物干し竿が外れて落ちないようにしている。追加の物干し竿を、横方向から挿入する。
図２の（ａ）は、フック部Ｂ（３）がフック部Ｃ（４）より高くして、フック部Ｂ（３）とフック部Ｃ（４）の高さが異なる場合、図２の（ｂ）は、フック部Ｂ（３）とフック部Ｃ（４）の高さが同じ場合を示す。
【００１４】図３は、本発明で、フック部Ｂ（３）とフック部Ｃ（４）の高さが異なる場合の物干し竿用フックの使用例を示す。フック部Ｂ（３）とフック部Ｃ（４）を段違いにすることによって物干し竿は日が当たるようになる。例えば、最後列のフック部Ｃ（４）に掛けた物干し竿は陰干ししたい物や女性の衣服のように表から見られたくない物を干す事ができる。
【産業上の利用可能性】
【００１５】１本の線材を低コストで加工できる物干し竿用フックを提供する。
【符号の説明】
【００１６】１  物干し竿用フック本体
２  フック部Ａ
３  フック部Ｂ
４  フック部Ｃ
【図１】
0003176223.tif 000003
0003176223.tif 000004
【図２】
0003176223.tif 000005
0003176223.tif 000006
【図３】
0003176223.tif 000007
【手続補正書】
【提出日】平成23年4月18日(2011.4.18)
【手続補正１】
【補正対象書類名】図面
【補正対象項目名】全図
【補正方法】変更
【補正の内容】
【図１】
0003176223.tif 000008
【図２】
0003176223.tif 000009
【図３】
0003176223.tif 000010
(57)【要約】      （修正有）【課題】車輌を後進させる際、車輌後部と障害物との距離を正確に把握する事ができる衝突防止用品を提供する。【解決手段】収納可能な器具を車輌後部に取り付けその中に板、又は捧状の物を入れ、必要な長さのところでボルト等で固定する。【選択図】図４
0003176227.tif 000002
【実用新案登録請求の範囲】
【請求項１】
車輌後部に収納可能な器具を取り付け、その中に目印となる、板状の物を差し込み必要な長さのところで、ボルト等で固定し、障害物との距離を正確に把握する事を特徴とする、衝突防止用品である。
【請求項２】
車輌後部に収納可能な器具を取り付けその中に目印となる円形の捧状のものを差し込む請求項１の作成方法。
【請求項３】
車輌後部に収納可能な器具を取り付けその中に目印となる四角形の捧状の物を差し込む請求項１の作成方法。
【請求項４】
車輌後部に収納可能な器具を取り付けその中に目印となる三角形の捧状の物を差し込む請求項１の作成方法。
【考案の詳細な説明】
【技術分野】
【０００１】  本考案は車輌を後進させる際、障害物と衝突する事を防止する器具に関する。
【背景技術】
【０００２】  車輌を後進させる際、目測、及び勘に頼り運転をしている。【０００３】  ほとんどの車輌は後進する際（図１）の状態で運転をしている。
【考案の開示】
【考案が解決しようとする課題】
【０００４】  しかし、この様な運転では障害物と車輌後部との正確な距離を把握する事は困難である。
【課題を解決するための手段】
【０００５】  そこで衝突防止板（図４）を考案した。この衝突防止板を車輌後部に取り付ける事で障害物と衝突する事を防げる。
【考案の効果】
【０００６】  本考案の衝突防止板により、後進の際、衝突防止板と障害物を見れば、正確な距離を得る事が出来る。
【考案を実施するための最良の形態】
【０００７】  （図２）で示す様に衝突防止板を車輌後部に取り付ける事により、運転士は、衝突防止板を通し、障害物を見れば、視線は車輌と平行となり、正確な距離を得られ、後進する際の衝突を防止する事が出来る。
【図面の簡単な説明】
【０００８】
【図１】  従来の車輌を後進させる際の運転士の視線及び車輌の平面図。
【図２】  本考案の衝突防止板を車輌後部に取り付けた際の運転士から衝突防止板を通し障害物を見た視線及び車輌の平面図である。
【図３】  本考案の衝突防止の目印となる、板、及び捧状の斜視図である。
【図４】  収納器具及び目印となる板を分解後、組立状態にした斜視図である。
【図５】  収納器具、及び目印となる板を分解、組立、収納した平面図である。
【符号の説明】
【０００９】  １  車輌
２  運転士
３  視線
４  障害物
５  衝突防止板
６  目印の板
７  目印の円形の捧
８  目印の四角形の捧
９  目印の三角形の捧
１０  収納器具
１１  ボルト
【図１】
0003176227.tif 000003
【図２】
0003176227.tif 000004
【図３】
0003176227.tif 000005
【図４】
0003176227.tif 000006
【図５】
0003176227.tif 000007
【手続補正書】
【提出日】平成24年3月12日(2012.3.12)
【手続補正１】
【補正対象書類名】実用新案登録請求の範囲
【補正対象項目名】全文
【補正方法】変更
【補正の内容】
【実用新案登録請求の範囲】
【請求項１】
車両後部に収納可能な器具を取り付け、その中に目印となる、板状の物を差し込み必要な長さのところで、ボルト等で固定し、障害物との距離を正確に把握する事を特徴とする、衝突防止用品。
【請求項２】
前記器具の中に、前記板状の物に代えて、円形の棒状の物を差し込み固定したことを特徴とする請求項１の衝突防止用品。
【請求項３】
前記器具の中に、前記板状の物に代えて、四角形の棒状の物を差し込み固定したことを特徴とする請求項１の衝突防止用品。
【請求項４】
前記器具の中に、前記板状の物に代えて、三角形の棒状の物を差し込み固定したことを特徴とする請求項１の衝突防止用品。
(57)【要約】      （修正有）【課題】使用中に中心が早く摩減する為に見た目が悪く又、エコの面からも一応に減って見た目もきれいであるパウダリーファンデーション容器を提供する。【解決手段】中心部を下げて容器を作れば、使用中に、平均にスポンジにつき、最後まできれいに使用出来る。みた目も、エコの面からも、本パウダリーファンデーションの容器を作れば、いままで中心部が早く摩減して、みぐるしかったのが最後まできれいに使用出来る。【選択図】図１
0003176224.tif 000002
【実用新案登録請求の範囲】
【請求項１】
パウダリーファンデーション容器の変更
【考案の詳細な説明】
【技術分野】
【０００１】本考案は、容器の変更である
【背景技術】
【０００２】分は容器が平面の為、中心部が早くなくなり、囲りに、残り、使用しづらい為。
【考案が解決しようとする課題】
【０００５】分は、エコの時代である。容器が中心のみ、なくなり、囲りに、残った為、使用しずらく、又、みぐるしい。
【課題を解決するための手段】
【０００６】平面の底部を、中心を少し、下げて、容器を作る。
【考案の効果】
【０００７】ファンデーションを使用する時、平均に使用できる。
【図面の簡単な説明】
【０００８】
【図１】（平面図です）
【考案を実施するための形態】
【０００９】  底面の変更
【００１０】添付図面に従って実施例を説明する
１  底面部の中心を下げて作る
【００１１】１  同上
【００１２】１  同上
【００１３】１  同上
【図１】
0003176224.tif 000003
【手続補正書】
【提出日】平成24年1月30日(2012.1.30)
【手続補正１】
【補正対象書類名】明細書
【補正対象項目名】全文
【補正方法】変更
【補正の内容】
【考案の詳細な説明】
【技術分野】
【０００１】本考案は、パウダリーファンデーションの容器に関するものである
【背景技術】
【０００２】パウダリーファンデーションの容器の底面が平面の為に使用中に中心だけ早く摩減する為に見た目が悪い【０００３】
【０００４】
【考案の概要】
【考案が解決しようとする課題】
【０００５】使用中に中心が早く摩減する為に見た目が悪く又、エコの面からも一応に減っていけば見た目もきれいであるので解決したい。
【課題を解決する為の手段】
【０００６】本考案は、中心部を下げて容器を作れば、使用中に、平均にスポンジにつき、最後まできれいに使用出来る
【考案の効果】
【０００７】みた目も、エコの面からも、本考案のパウダリーファンデーションの容器を作れば、いままで中心部が早く摩減して、みぐるしかったのが最後まできれいに使用出来る。
【図面の簡単な説明】
【０００８】
【図１】  正面図
【図２】  下断面
【考案を実施するための形態】
【０００９】パウダリーファンデーション容器は、正面は、いままで通りですが底面中心部分のみ、下げた為、ファンデーションの用量は、変らずに作成できる
【実施例】
【００１０】  以下、添付図面に従って安施例を説明する
図１は、容器は現在のファンデーションの形体である
図２は、中の容器を左、右を、上げ中心を下げた形体である【００１１】上記【００１２】上記
【符号の説明】
【００１３】１．パウダリーファンデーションの容器である
【手続補正２】
【補正対象書類名】実用新案登録請求の範囲
【補正対象項目名】全文
【補正方法】変更
【補正の内容】
【実用新案登録請求の範囲】
【請求項１】
底面を中心を下げて作成する事による摩減が平均となり使用しやすくする事を特徴とするパウダリーファンデーション容器。
【手続補正３】
【補正対象書類名】図面
【補正対象項目名】全図
【補正方法】変更
【補正の内容】
【図１】
0003176224.tif 000004
【図２】
0003176224.tif 000005
(57)【要約】      （修正有）【課題】足裏を使って球体を枠内で回転させながら前後左右に動かし、簡単にツボ位置を探査してツボ刺激が出来る足裏つぼ刺激探査健康器具を提供する。【解決手段】枠体の内側に球体が置かれ、その球体が枠体の内側で自由に移動できる様に配し、枠体の形状を上面にアールを付け、底面は上面より幅広くなっており、足裏と枠体との接触を小さくしている。足裏で球体を前後左右に転がすことで、球体が枠内に接触して枠体を動かすことにより、球体がより滑らかに動き、簡単にツボ位置を探し、ツボを刺激することが出来る足裏ツボ刺激探査健康器具。【選択図】図１
0003176226.tif 000002
【実用新案登録請求の範囲】
【請求項１】
足裏のツボを探査し刺激して健康を促進する器具において、枠体の上面は足裏の接触を小さくするためにアールが付いており、枠体の底面は枠体の上面よりも幅広くなっている。枠体の内径は円形で球体直径の５倍以下、枠体の高さは球体の約半分、枠体の外形は円形、楕円形、多角形等であり、球体とで構成されている。
【考案の詳細な説明】
【技術分野】
【０００１】足裏ツボ位置を刺激することは、血行を促進して、肩こり、疲労回復に効果がある。
【背景技術】
【０００２】従来から、足ツボ刺激が行える足踏み型のツボ刺激健康器具が提案されている。
又、実用新案公開平６−２６９１９では、押圧する場所によってゴルフボールを所定溝に移動して押圧する器具が提案されている。
【先行技術文献】
【０００３】
【特許文献】
【特許文献】実用新案公開平６−２６９１９
【非特許文献】
【０００４】
【非特許文献１】「台湾式足つぼ」太田さなえ著、新風舎
【考案の概要】
【考案が解決しようとする課題】
【０００５】従来の足踏み型のツボ刺激健康器具では、足裏の同じ箇所を繰り返し押圧するため、足裏が苦痛になり押圧が継続できない。
又、実用新案公開平６−２６９１９では、足を押圧する位置によってゴルフボールを手で所定溝に移動させなければならない煩雑さがあった。
【課題を解決するための手段】
【０００６】本考案は、ツボ探査刺激健康器具として、足裏で球体を動かし枠体も動かすことが出来る枠体を提供する。
【考案の効果】
【０００７】本考案枠は、ツボ探査刺激健康器具として、足裏を使って球体を枠内で回転させながら前後左右に動かし、枠体も動かすことで、簡単にツボ位置を探査してツボ刺激が出来る。
【図面の簡単な説明】
【０００８】
【図１】図１はツボ探査刺激健康器具の斜視図である。
【図２】図２は図１Ａ−Ａ矢印線断面図である。
【図３】図３は図１．２の実施方法を示した説明図である。
【考案を実施するための形態】
【０００９】円形の枠内に球体を入れ、足裏で球体を回転させながら前後左右に動かすことにより、球体が枠体に接触して枠体も動くため、容易に球体を動かすことが出来ることで、椅子に座って楽な姿勢で足裏のツボ位置を探査してツボを刺激する。
【実施例】
【００１０】図１は本考案枠体１の斜視図である。
図２は図１の断面図である。枠体１の上面２は足７の接蝕を少なくするため、アールを付けてある。又、底面５は枠体１．の動きを滑らかにするため、底面５を枠体１の上面よりも幅広くしてある。又、枠体１の高さが球体６の半分以下であれば、足７が枠体１に接蝕することがない。又、枠内径４が球体６の５倍以上になれば、球体６の移動範囲が大きくなり、球体６が枠体内径４から飛び出し、足７からも球体６が外れる。
よって枠内径４は、球体６の直径の約５倍以下に設定されている。枠外径３は円形、多角形になっている。
図３は実施図である。
【産業上の利用可能性】
【００１１】本考案足裏ツボ刺激探査健康器具は携帯することができる簡単な器具のため、足裏のツボ位置を探査して、その位置を刺激することにより血行をよくして、飛行機、電車、自動車等、長時間椅子に座り続けることによる不具合、所謂エコノミー症候群に効果がある。
【符号の説明】
【００１２】１  足裏ツボ刺激探査健康器具
２  枠体上面
３  枠体外径
４  球体内径
５  底面
６  球体
７  足
【図１】
0003176226.tif 000003
【図２】
0003176226.tif 000004
【図３】
0003176226.tif 000005
【手続補正書】
【提出日】平成24年2月29日(2012.2.29)
【手続補正１】
【補正対象書類名】実用新案登録請求の範囲
【補正対象項目名】全文
【補正方法】変更
【補正の内容】
【実用新案登録請求の範囲】
【請求項１】
足裏のツボを探査し刺激して健康を促進する器具において、枠体の内側に球体が置かれ、その球体が枠体の内側で自由に移動でき、足裏のツボを探査して刺激を与えられるよう、枠体の上面は足裏の接触を小さくするためにアールが付いており、底面は枠体の上面よりも幅広くなっており、枠体の内側は円形で、高さは球体の約半分、外形は円形、楕円形、多角形等である枠体と、球体とで構成されている足裏ツボ探査刺激健康器具。
(57)【要約】      （修正有）【課題】寝ながら腱や靱帯を伸ばすことができる腰、下肢ストレッチマシーンシステムを提供する。【解決手段】上半身受け台と上半身受け台に対して角度調整が可能で開脚可能な左右二つの下半身可動板とで構成された、腰、下肢ストレッチマシーンシステムであって、下半身可動板に設置され、下半身可動板を０度から９０度まで作動させる第１のエアーシリンダーと、下半身可動板に設置され、下半身可動板を９０度から１８０度まで作動させる第２のエアーシリンダーと、下半身可動板の裏に設置され、左右二つの下半身可動板の開脚ロックするロックシステムを備えた事を特徴とする。【選択図】図１
0003176542.tif 000002
【実用新案登録請求の範囲】
【請求項１】
仰向けに寝ながらにして、下半身の靭帯や腱を伸ばすことを、リモコン操作により自動で行う事が出来る。
【考案の詳細な説明】
【技術分野】
【０００１】
本考案は、上体をマシーンの台に仰向けに固定して、足を股関節のところから無理なく上に持ち上げたり、足を開閉したりする事により腱や靭帯を伸ばすシステムに関するものである。
【考案の開示】
【考案が解決しようとする課題】
【０００２】
色々なけん引シシテムや柔軟体操は、リハビリに通院したり、自ら柔軟体操の行為を行わなければならない。しかし、足腰の場合自ら行うと腰椎に逆に負担をかけてしまう事があり悪化させる事がある。
【課題を解決するための手段】
【０００３】
本考案は、マシーンに足、膝、腰（骨盤）を固定して、台に仰向けになり骨盤から下を上に起こして行く。リモコン操作で電動システムにより作動させる。固い台に寝ているので腰椎にも負担なく、足、腰を伸ばせる。
【考案の効果】
【０００４】
本考案は、寝ながら腱や靭帯を伸ばすことにより、腰、膝、足首の関節をなめらかにして、楽な歩行
を楽にすると共に、スポーツや肉体作業後の足腰の緊張をほぐし、血行を促進させて。疲れを早く回復させる。
毎日、数分行う事により、年齢と共に起こる腱や靭帯の萎縮を防止できる。
【実施例】
【０００５】
図１の説明。
「ロ」の上に「イ」が固定されており、その上に人が座り、足首、膝、骨盤をマジックバンドで固定する。
ストレッチ台「イ」と「ロ」は折りたたみ式で、キャスターで移動可能。
【０００６】
図２の説明。
まず足を固定する時は、座った状態で可動式ペダルに足を乗せ、マジックバンドで留める。
【０００７】
図３の説明。
図２で固定した可動式ペダルをウィンチモーターで引き伸ばして、定位置でホルダーにロックする。
ウィンチモーターはリモコンで操作する。
ホルダーから可動式ペダルを開放する時は、図のハンドルを握って引くことにより、ロック解除される。
【０００８】
図４の説明。
リモコン操作により、エアーシリンダー１を直角（９０度）まで起こすことが出来る。
次に９０度を超えて屈折させる場合は、エアーシリンダー２で屈折させることが出来る。
【０００９】
図５の説明。
エアーシリンダー１で直角（９０度）まで屈折させた状態からは、股関節を伸ばすために開脚させることも可能である。
【００１０】
図６の説明。
開脚時、両足の開き具合に誤差の無いように、ギアシステムを利用して同時に開脚することが出来る。
【００１１】
図７の説明。
左右対称支持バーはエアーシリンダー１での屈折時に、左右の角度に誤差の無いように維持する。
ロック解除用ワイヤーレバーを引くことによって、ロック解除して開脚する。
【図面の簡単な説明】
【００１２】
【図１】全体図
【図２】足首固定時の姿勢
【図３】足首部分ロック及び解除システム図
【図４】エアーシリンダー起伏操作図
【図５】開脚時の状態図
【図６】開脚ギアシステム図
【図７】下半身可動板裏面図
【図１】
0003176542.tif 000003
【図２】
0003176542.tif 000004
【図３】
0003176542.tif 000005
【図４】
0003176542.tif 000006
【図５】
0003176542.tif 000007
【図６】
0003176542.tif 000008
【図７】
0003176542.tif 000009
【手続補正書】
【提出日】平成24年1月1日(2012.1.1)
【手続補正１】
【補正対象書類名】実用新案登録請求の範囲
【補正対象項目名】全文
【補正方法】変更
【補正の内容】
【実用新案登録請求の範囲】
【請求項１】
台上に仰向けに寝ながら、手元のリモコン操作でエアーシリンダー１で下肢を０°から９０°まで、エアーシリンダー２で９０°から１８０°まで、それぞれ任意の角度にリモコン操作で伸ばすと同時に、図７の下半身可動板裏のロックアタッチメントのロックを外すことにより、下肢を左右に開き股関節を伸ばすシステム
【手続補正３】
【補正対象書類名】図面
【補正対象項目名】全図
【補正方法】変更
【補正の内容】
【図１】
0003176542.tif 000010
【図２】
0003176542.tif 000011
【図３】
0003176542.tif 000012
【図４】
0003176542.tif 000013
【図５】
0003176542.tif 000014
【図６】
0003176542.tif 000015
【図７】
0003176542.tif 000016
【手続補正書】
【提出日】平成24年4月14日(2012.4.14)
【手続補正１】
【補正対象書類名】実用新案登録請求の範囲
【補正対象項目名】全文
【補正方法】変更
【補正の内容】
【実用新案登録請求の範囲】
【請求項１】
上半身受け台と上半身受け台に対して角度調整が可能で開脚可能な左右二つの下半身可動板とで構成された、腰、下肢ストレッチマシーンシステムであって、下半身可動板に設置され、下半身可動板を０度から９０度まで作動させる第１のエアーシリンダーと、下半身可動板に設置され、下半身可動板を９０度から１８０度まで作動させる第２のエアーシリンダーと、下半身可動板の裏に設置され、左右二つの下半身可動板の開脚ロックするロックシステムを備えた事を特徴とする、腰、下肢ストレッチマシーンシステム。